(57)【要約】【課題】鉄筋コンクリート構造の建築パネルで構成された住宅が、効率的にかつ短期間で完成される住宅の建築構法を提供する。【解決手段】建築敷地９に、第１基礎部１１と第２基礎部１２が隣接して位置する。第１基礎部１１と第２基礎部１２のうち、第２基礎部１２に複数の型枠２が設置される。複数の型枠２を用いて、鉄筋コンクリート構造の複数の建築パネル３が製造される。ここで製造された複数の建築パネル３が、第１基礎部１１で組み立てられ、住宅Ｈが建築される。【選択図】図１
2016191196.tif 000002
【特許請求の範囲】
【請求項１】
屋外の建築敷地に、複数の基礎部が形成される基礎形成工程と、
前記複数の基礎部のそれぞれに鉄筋コンクリート構造の住宅が建築される建築工程とを備え、
前記基礎部の数よりも小さな任意の自然数をＮとしたとき、
前記建築工程は、
前記複数の基礎部に含まれる第Ｎ基礎部に、前記住宅が建築される第Ｎ建築工程を備え、
前記第Ｎ建築工程は、
前記複数の基礎部に含まれる第Ｎ＋１基礎部に、複数の型枠が設置される枠設置工程と、
前記複数の型枠を用いて、鉄筋コンクリート構造の複数の建築パネルが製造されるパネル製造工程と、
前記複数の建築パネルが前記第Ｎ基礎部で組み立てられ、前記住宅が建築される組立工程と、を備える、
住宅の建築構法。
【請求項２】
前記枠設置工程では、前記第Ｎ＋１基礎部に支持体が着脱自在に設置され、前記支持体を介して、前記複数の型枠の水平出しが為される、
請求項１に記載の住宅の建築構法。
【請求項３】
前記枠設置工程では、前記第Ｎ＋１基礎部に埋設された住宅建築用の複数のアンカーを介して、前記支持体が前記第Ｎ＋１基礎部に着脱自在に設置される、
請求項２に記載の住宅の建築構法。
【請求項４】
前記支持体は、前記複数の型枠をスライド自在に支持するレール構造を有する、
請求項２または３に記載の住宅の建築構法。
【請求項５】
前記パネル製造工程では、前記第Ｎ＋１基礎部にスライド自在に設置された仮設テントの下で、前記複数の型枠を用いて前記複数の建築パネルが製造される、
請求項１〜４のいずれか一項に記載の住宅の建築構法。
【請求項６】
前記パネル製造工程では、前記仮設テントのスライド移動をガイドするガイド部が、前記第Ｎ＋１基礎部に埋設された住宅建築用の複数のアンカーを介して、前記第Ｎ＋１基礎部に着脱自在に設置される、
請求項５に記載の住宅の建築構法。
【請求項７】
前記パネル製造工程では、前記建築敷地に設置されるクレーン車を用いて、前記第Ｎ＋１基礎部上の前記複数の型枠に対して、コンクリートが打設される、
請求項１〜６のいずれか一項に記載の住宅の建築構法。
【請求項８】
前記組立工程では、前記建築敷地に設置されるクレーン車を用いて、前記第Ｎ＋１基礎部の前記複数の型枠で製造された複数の建築パネルが、前記第Ｎ基礎部にまで吊り上げ移動される、
請求項１〜７のいずれか一項に記載の住宅の建築構法。
【請求項９】
前記組立工程では、前記複数の建築パネルが、所定の初期強度を発現した時点で前記第Ｎ基礎部に組み立てられ、前記第Ｎ基礎部で、前記所定の初期強度よりも高い所定の目的強度を発現するまで養生される、
請求項１〜８のいずれか一項に記載の住宅の建築構法。
【請求項１０】
前記建築工程では、前記第Ｎ建築工程が、Ｎとして互いに異なる自然数が選択されながら、繰り返し行われる、
請求項１〜９のいずれか一項に記載の住宅の建築構法。
【請求項１１】
繰り返し行われる前記第Ｎ建築工程において、前記複数の型枠は、前記複数の基礎部の間で移送されて、繰り返し用いられる、
請求項１０に記載の住宅の建築構法。
【請求項１２】
繰り返し行われる前記第Ｎ建築工程において、前記複数の型枠は、前記第Ｎ＋１基礎部に設置された支持体を介して水平出しがなされ、
前記支持体は、前記複数の基礎部の間で移送されて、繰り返し用いられる、
請求項１０または１１に記載の住宅の建築構法。
【発明の詳細な説明】
【技術分野】
【０００１】
本発明は、住宅の建築構法に関し、詳しくは、鉄筋コンクリート構造の建築パネルを用いて建築敷地内に複数の住宅を建築することのできる住宅の建築構法に関する。
【背景技術】
【０００２】
鉄筋コンクリート構造の建築パネルを用いて住宅を建築することが、従来行われている。
【０００３】
例えば、特許文献１には、多数の鉄筋コンクリートパネルをあらかじめ製造しておき、これらの多数の鉄筋コンクリートパネルを耐力壁や床版として利用することで、住宅を建築することが記載されている。
【先行技術文献】
【特許文献】
【０００４】
【特許文献１】特開２０００−２４８６１４号公報
【発明の概要】
【発明が解決しようとする課題】
【０００５】
上記した従来の建築構法では、鉄筋コンクリート構造の多数の建築パネルを、建築敷地以外の専用の施設において製造および保管しておき、保管された多数の建築パネルを、建築敷地にまで順次搬送して組み立てることが一般的である。
【０００６】
このため、従来の建築構法では、建築パネルの製造を始めてから住宅が完成するまでの期間が長い。
【０００７】
本発明が解決しようとする課題は、鉄筋コンクリート構造の建築パネルで構成された住宅を、効率的にかつ短期間で完成させることのできる、住宅の建築構法を提供することにある。
【課題を解決するための手段】
【０００８】
前記課題を解決するために、本発明の一態様に係る住宅の建築構法は、屋外の建築敷地に複数の基礎部が形成される基礎形成工程と、前記複数の基礎部のそれぞれに鉄筋コンクリート構造の住宅が建築される建築工程とを備える。
【０００９】
前記基礎部の数よりも小さな任意の自然数をＮとしたとき、前記建築工程は、第Ｎ基礎部に前記住宅が建築される第Ｎ建築工程を備える。前記第Ｎ基礎部は、前記複数の基礎部に含まれる。
【００１０】
前記第Ｎ建築工程は、枠設置工程と、パネル製造工程と、組立工程とを備える、
前記枠設置工程は、第Ｎ＋１基礎部に複数の型枠が設置される工程である。前記第Ｎ＋１基礎部は、前記複数の基礎部に含まれる。
【００１１】
前記パネル製造工程は、前記複数の型枠を用いて、鉄筋コンクリート構造の複数の建築パネルが製造される工程である。
【００１２】
前記組立工程は、前記複数の建築パネルが前記第Ｎ基礎部で組み立てられ、前記住宅が建築される工程である。
【発明の効果】
【００１３】
本発明は、鉄筋コンクリート構造の建築パネルで構成された住宅を、効率的にかつ短期間で完成させることができるという効果を奏する。
【図面の簡単な説明】
【００１４】
【図１】実施形態１の住宅の建築構法で、第１基礎部に住宅が建築される様子が示された斜視図である。
【図２】図１のＡ部拡大図である。
【図３】図１のＢ部拡大図である。
【図４】図１のＢ部が拡大して示された正面図である。
【図５】実施形態１の住宅の建築構法で、第２基礎部に住宅が建築される様子が示された斜視図である。
【図６】実施形態１の住宅の建築構法で、住宅の建築が完了した様子が示された斜視図である。
【図７】実施形態１の建築構法での各工程のタイミングが概略的に示された説明図である。
【図８】実施形態１の建築構法での建築工程の流れが概略的に示されたフロー図である。
【図９】実施形態２の建築構法の要部が示された斜視図である。
【発明を実施するための形態】
【００１５】
（実施形態１）
図１乃至図８には、実施形態１の住宅の建築構法（以下、単に「建築構法」という。）が示されている。
【００１６】
図１、図５、図６には、本実施形態の建築構法で複数の住宅Ｈが建築される様子が、順に示されている。本実施形態の建築構法では、屋外の建築敷地９内に、互いに距離をあけて複数の基礎部１が形成され、複数の基礎部１にそれぞれ連棟式の住宅Ｈが建築される。
【００１７】
図７と図８には、本実施形態の建築構法が備える複数の工程の流れが、それぞれ示されている。図７中の矢印ｔは、時間の経過方向を示す。
【００１８】
図７に示されるように、本実施形態の建築構法は、建築敷地９に複数の基礎部１が形成される基礎形成工程Ｓ１と、複数の基礎部１にそれぞれ住宅Ｈが建築される建築工程Ｓ２とを備える。基礎形成工程Ｓ１の後半部分と、建築工程Ｓ２の前半部分とは、時期が互いに重なる。
【００１９】
＜基礎形成工程＞
図７に示されるように、基礎形成工程Ｓ１は、第１基礎形成工程Ｓ１１と、第２基礎形成工程Ｓ１２と、第３基礎形成工程Ｓ１３と、第４基礎形成工程Ｓ１４を備える。第１乃至第４基礎形成工程Ｓ１１，Ｓ１２，Ｓ１３，Ｓ１４は、この順に連続して行われる。
【００２０】
第１基礎形成工程Ｓ１１は、建築敷地９に第１の基礎部１（以下「第１基礎部１１」という。）が形成される工程である。第１基礎部１１は、建築敷地９の第１区画９１に位置する一つの基礎１００から成る。
【００２１】
第２基礎形成工程Ｓ１２は、建築敷地９に第２の基礎部１（以下「第２基礎部１２」という。）が形成される工程である。第２基礎部１２は、建築敷地９の第２区画９２に位置する一つの基礎１００から成る。第２基礎部１２は、第１基礎部１１に対して第１方向Ｄ１に並んで位置する。
【００２２】
第３基礎形成工程Ｓ１３は、建築敷地９に第３の基礎部１（以下「第３基礎部１３」という。）が形成される工程である。第３基礎部１３は、建築敷地９の第３区画９３に位置する一つの基礎１００から成る。第３基礎部１３は、第２基礎部１２に対して第１方向Ｄ１に並んで位置する。第１基礎部１１と第３基礎部１３は、第２基礎部１２を挟んで位置する。
【００２３】
第４基礎形成工程Ｓ１４は、建築敷地９に第４の基礎部１（以下「第４基礎部１４」という。）が形成される工程である。第４基礎部１４は、建築敷地９の第４区画９４に位置する一つの基礎１００から成る。第４基礎部１４は、第１方向Ｄ１において第１基礎部１１とは反対側の端部に位置する。
【００２４】
本実施形態の建築敷地９においては、第１乃至第４区画９１，９２，９３，９４が、第１方向Ｄ１に沿って一列に並んで位置するが、第１乃至第４区画９１，９２，９３，９４（つまり第１乃至第４基礎部１１，１２，１３，１４）がこの順に並ばないことも有り得る。
【００２５】
＜建築工程＞
建築工程Ｓ２は、図１、図５および図６に示されるように、建築敷地９において第１方向Ｄ１に並んだ第１基礎部１１、第２基礎部１２、第３基礎部１３および第４基礎部１４に、住宅Ｈが順に建築されていく工程である。
【００２６】
建築工程Ｓ２は、第１建築工程Ｓ２１と、第２建築工程Ｓ２２と、第３建築工程Ｓ２３と、最後の建築工程Ｓ２４を備える（図８参照）。
【００２７】
第１建築工程Ｓ２１は、枠設置工程Ｓ２１１と、パネル製造工程Ｓ２１２と、組立工程Ｓ２１３を備える（図７参照）。
【００２８】
第２建築工程Ｓ２２は、枠設置工程Ｓ２２１と、パネル製造工程Ｓ２２２と、組立工程Ｓ２２３を備える。
【００２９】
第３建築工程Ｓ２３は、枠設置工程Ｓ２３１と、パネル製造工程Ｓ２３２と、組立工程Ｓ２３３を備える。
【００３０】
最後の建築工程Ｓ２４は、最後のパネル製造工程Ｓ２４２と、最後の組立工程Ｓ２４３とを備える。
【００３１】
図７に示されるように、第１建築工程Ｓ２１の期間の後期部分（組立工程Ｓ２１３の後半部）と、第２建築工程Ｓ２２の期間の前期部分（枠設置工程Ｓ２２１と、パネル製造工程Ｓ２２２の前半部）とは、互いに重なる。つまり、第１建築工程Ｓ２１と第２建築工程Ｓ２２は、一部平行して行われる。
【００３２】
同様に、第２建築工程Ｓ２２の期間の後期部分（組立工程Ｓ２２３の後半部）と、第３建築工程Ｓ２３の期間の前期部分（枠設置工程Ｓ２３１と、パネル製造工程Ｓ２３２の前半部）とは、互いに重なる。つまり、第２建築工程Ｓ２２と第３建築工程Ｓ２３は、一部平行して行われる。
【００３３】
第３建築工程Ｓ２３の期間の後期部分（組立工程Ｓ２３３の後半部）と、最後の建築工程Ｓ２４の期間の前期部分（パネル製造工程Ｓ２４２の前半部）とは、互いに重なる。つまり、第３建築工程Ｓ２３と最後の建築工程Ｓ２４は、一部平行して行われる。
【００３４】
ここで、第１乃至第３建築工程Ｓ２１，Ｓ２２，Ｓ２３は、第Ｎ建築工程Ｓ２Ｎ（Ｎ＝１，２，３）と総称される。
【００３５】
第Ｎ建築工程Ｓ２Ｎ（Ｎ＝１，２，３）はそれぞれ、枠設置工程Ｓ２Ｎ１と、パネル製造工程Ｓ２Ｎ２と、組立工程Ｓ２Ｎ３を備える。
【００３６】
改めて詳述するように、枠設置工程Ｓ２Ｎ１は、第Ｎ＋１基礎部に、複数の型枠２が設置される工程である。第Ｎ＋１基礎部は、第１乃至第４基礎部１１，１２，１３，１４のうちＮ＋１番目の基礎部である。
【００３７】
パネル製造工程Ｓ２Ｎ２は、複数の型枠２を用いて、鉄筋コンクリート構造（鉄筋コンクリート造）の複数の建築パネル３が製造される工程である。
【００３８】
組立工程ＳＮ３は、複数の建築パネル３が、第Ｎ基礎部で組み立てられる工程である。第Ｎ基礎部は、第１乃至第４基礎部１１，１２，１３，１４のうちＮ番目の基礎部である。
【００３９】
以下、第１乃至第３建築工程Ｓ２１，Ｓ２２，Ｓ２３（Ｎ＝１，２，３であるときの第Ｎ建築工程Ｓ２Ｎ）と、最後の建築工程Ｓ２４について、さらに詳しく述べる。
【００４０】
＜第１建築工程＞
第１建築工程Ｓ２１は、Ｎ＝１であるときの第Ｎ建築工程Ｓ２Ｎである。
【００４１】
第１建築工程Ｓ２１は、第１基礎形成工程Ｓ１１と第２基礎形成工程Ｓ１２を経て、建築敷地９内に第１基礎部１１と第２基礎部１２が形成された後に、第２基礎部１２を利用して第１基礎部１１に住宅Ｈが建築される工程である（図１参照）。
【００４２】
以下、第１建築工程Ｓ２１の説明においては、第１基礎部１１に建築される住宅Ｈを「第１住宅Ｈ１」と称する。
【００４３】
第１建築工程Ｓ２１は、枠設置工程Ｓ２１１、パネル製造工程Ｓ２１２および組立工程Ｓ２１３を備える（図７参照）。
【００４４】
まず、枠設置工程Ｓ２１１について説明する。
【００４５】
第１建築工程Ｓ２１の枠設置工程Ｓ２１１は、第１基礎部１１に隣接する第２基礎部１２に、複数の型枠２が設置される工程である。
【００４６】
図１に示されるように、枠設置工程Ｓ２１１では、第２基礎部１２に支持体４が設置され、この支持体４の上に複数（本実施形態では１２個）の型枠２が、第１方向Ｄ１とは直交する第２方向Ｄ２に並んで設置される。複数の型枠２はそれぞれ、第１住宅Ｈ１を建築するための鉄筋コンクリート構造の建築パネル３が製造される型枠である。
【００４７】
第２基礎部１２には、住宅建築用の複数のアンカー５が埋められている。支持体４は、これら複数のアンカー５に含まれる複数のアンカー５１に対して、着脱自在に固定される（図２−図４参照）。
【００４８】
複数の型枠２は、第２基礎部１２と複数の型枠２の間に介在する支持体４を用いて、水平出しが為される。つまり、支持体４は、複数の型枠２の水平出しを行うための機構である。
【００４９】
加えて、支持体４は、複数の型枠２のスライド移動をガイドすることのできるレール構造を有する。具体的には、支持体４は、第１方向Ｄ１に並んだ複数本（本実施形態では３本）のレール４１を備える。各レール４１は、断面Ｈ型の鋼材で形成される。
【００５０】
複数の型枠２はそれぞれ、互いに平行である複数本のレール４１に沿って、第２方向Ｄ２にスライド自在である。第１基礎部１１を構成する基礎１００は、第２方向Ｄ２を長手方向とする長方形状の外形を有する。複数の型枠２は、支持体４にガイドされることで、基礎１００の長手方向に沿ってスライド自在である。
【００５１】
支持体４は、複数本のレール４１と複数のアンカー５１に対してそれぞれ着脱自在に連結される複数のベースプレート４２を備える。複数本のレール４１は、複数のベースプレート４２を介して、複数のアンカー５１に対して着脱自在に固定される。
【００５２】
さらに、第１建築工程Ｓ１では、仮設テント６が第２基礎部１２上に設置される。
【００５３】
仮設テント６は、直射日光や雨水を遮断することのできるシート６１と、シート６１を支持するフレーム６２とを備える。フレーム６２が備える複数の支持脚の下端には、それぞれキャスター６３が設置される。
【００５４】
仮設テント６は、複数の型枠２のうち一群の型枠２の上方を覆うように、第２基礎部１２に設置される。本実施形態においては、１２個設置される型枠２のうち４つの型枠２の上方を覆うように、第２基礎部１２に架設テント６が設置される。
【００５５】
仮設テント６は、キャスター６３が転動することによって、第２基礎部１２において第２方向Ｄ２にスライド自在である。仮設テント６の第２方向Ｄ２のスライド移動によって、複数の型枠２のうち仮設テント６で上方が覆われる一群の型枠２が、自在に変更される。
【００５６】
次に、パネル製造工程Ｓ２１２について説明する。
【００５７】
第１建築工程Ｓ２１のパネル製造工程Ｓ２１２は、第２基礎部１２に設置された複数の型枠２を用いて、鉄筋コンクリート構造の複数の建築パネル３が製造される工程である。
【００５８】
パネル製造工程Ｓ２１２では、建設敷地９のうち第１基礎部１１と第２基礎部１２の間の箇所に、クレーン７１を備えたクレーン車７が位置する。
【００５９】
パネル製造工程Ｓ２１２では、建築敷地９に設置されるクレーン車７のクレーン７１を用いて、鉄筋が組み込まれた複数の型枠２に対して、上方からコンクリートが打設される。このとき、仮設テント６は、複数の型枠２のうちコンクリートが打設される型枠２の上方を覆うことがないように、第２方向Ｄ２に適宜スライド移動される。
【００６０】
各型枠２に対するコンクリートの打設後、各型枠２内で所定の初期強度が発現した段階で、各型枠２から建築パネル３が脱型される。前記初期強度は、クレーン７１で吊り上げて運ばれることが可能な強度である。
【００６１】
次に、組立工程Ｓ２１３について説明する。
【００６２】
第１建築工程Ｓ２１の組立工程Ｓ２１３は、複数の型枠２で製造された複数の建築パネル３が、第１基礎部１１に順次組み立てられる工程である。図１には、組立工程Ｓ２１３の様子が示されている。複数の建築パネル３は、第１基礎部１１と第２基礎部１２の間に設置されたクレーン車７のクレーン７１を用いて、第２基礎部１２から第１基礎部１１にまで吊り上げ移動される。
【００６３】
組立工程Ｓ２１３では、まず、第１基礎部１１の上に、所定の初期強度を発現した複数の建築パネル３が運ばれる。これら複数の建築パネル３を用いて、第１住宅Ｈ１の一階の壁構造が形成される。
【００６４】
次いで、第１住宅Ｈ１の一階の壁構造を形成する複数の建築パネル３が、それぞれ前記所定の初期強度よりも高い所定の目的強度を発現するまで養生された時点で、第１住宅Ｈ１の一階の壁構造の上に、所定の初期強度を発現した複数の建築パネル３が運ばれる。これら複数の建築パネル３を用いて、第１住宅Ｈ１の二階の床構造が形成される。
【００６５】
次いで、第１住宅Ｈ１の二階の床構造を形成する複数の建築パネル３が、それぞれ前記所定の初期強度よりも高い所定の目的強度を発現するまで養生された時点で、第１住宅Ｈ１の二階の床構造の上に、所定の初期強度を発現した複数の建築パネル３が運ばれる。これら複数の建築パネル３を用いて、第１住宅Ｈ１の二階の壁構造が形成される。
【００６６】
次いで、第１住宅Ｈ１の二階の壁構造を形成する複数の建築パネル３が、それぞれ前記所定の初期強度よりも高い所定の目的強度を発現するまで養生された時点で、第１住宅Ｈ１の二階の壁構造の上に、所定の初期強度を発現した複数の建築パネル３が運ばれる。これら複数の建築パネル３を用いて、第１住宅Ｈ１の天井構造が形成される。
【００６７】
第１建築工程Ｓ２１の組立工程Ｓ２１３では、上記のような方法で、第１基礎部１１に第１住宅Ｈ１が効率的にかつ短期間で建築される。
【００６８】
＜第２建築工程＞
第２建築工程Ｓ２２は、Ｎ＝２であるときの第Ｎ建築工程Ｓ２Ｎである。
【００６９】
第２建築工程Ｓ２２は、枠設置工程Ｓ２２１、パネル製造工程Ｓ２２２および組立工程Ｓ２２３を備える（図７参照）。
【００７０】
第２建築工程Ｓ２２では、枠設置工程Ｓ２２１において、第３基礎形成工程Ｓ１３を経て形成された第３基礎部１３に、支持体４を介して複数の型枠２が設置される（図５参照）。支持体４と複数の型枠２は、第２基礎部１２に設置されたものが第３基礎部１３にまで移送されて、繰り返し使用される。
【００７１】
次いで、パネル製造工程Ｓ２２２において、第３基礎部１３に設置された複数の型枠２を用いて、複数の建築パネル３が製造される。
【００７２】
第２建築工程Ｓ２２のパネル製造工程Ｓ２２２においては、第２基礎部１２に設置された仮設テント６が第３基礎部１３にまで移送されて、繰り返し使用される。
【００７３】
次いで、組立工程Ｓ２２３において、初期強度を発現した複数の建築パネル３を用いて、第２基礎部１２上に住宅Ｈが形成される。ここでは、第２基礎部１２に建築される住宅Ｈを「第２住宅Ｈ２」と称する。
【００７４】
第２住宅Ｈ２の建築には、第２基礎部１２に埋められた複数のアンカー５（第１建築工程Ｓ２１で支持体４の設置に用いられた複数のアンカー５１を含む）が用いられる。
【００７５】
第２建築工程Ｓ２２における第２住宅Ｈ２の建築方法は、第１建築工程Ｓ２１における第１住宅Ｈ１の建築方法と同様であるため、詳しい説明は省略する。
【００７６】
＜第３建築工程＞
第３建築工程Ｓ２３は、Ｎ＝３であるときの第Ｎ建築工程Ｓ２Ｎである。
【００７７】
第３建築工程Ｓ２３は、枠設置工程Ｓ２３１、パネル製造工程Ｓ２３２および組立工程Ｓ２３３を備える（図７参照）。
【００７８】
第３建築工程Ｓ２３では、枠設置工程Ｓ２３１において、第４基礎形成工程Ｓ１４を経て形成された第４基礎部１４に、支持体４を介して複数の型枠２が設置される。支持体４と複数の型枠２は、第３基礎部１３に設置されたものがさらに第４基礎部１４にまで移送され、繰り返し使用される。
【００７９】
次いで、パネル製造工程Ｓ２３２において、第４基礎部１４に設置された複数の型枠２を用いて、複数の建築パネル３が製造される。
【００８０】
第３建築工程Ｓ２３のパネル製造工程Ｓ２３２においては、第３基礎部１３に設置されていた仮設テント６が第４基礎部１４にまで移送され、第４基礎部１４上で使用される。
【００８１】
次いで、組立工程Ｓ２３３において、初期強度を発現した複数の建築パネル３を用いて、第３基礎部１３上に住宅Ｈが形成される。ここでは、第３基礎部１３に建築される住宅Ｈを「第３住宅Ｈ３」と称する。
【００８２】
第３建築工程Ｓ２３における第３住宅Ｈ３の建築方法は、第１住宅Ｈ１や第２住宅Ｈ２の建築方法と同様であるため、詳しい説明は省略する。
【００８３】
＜最後の建築工程＞
最後の建築工程Ｓ２４は、第４基礎形成工程Ｓ１４を経て形成された第４基礎部１４に、住宅Ｈが建築される工程である。ここでは、第４基礎部１４に建築される住宅Ｈを「最後の住宅Ｈ４」と称する。
【００８４】
最後の建築工程Ｓ２４は、最後のパネル製造工程Ｓ２４２と、最後の組立工程Ｓ２４３とを備える（図７参照）。
【００８５】
最後のパネル製造工程Ｓ２４２では、第３建築工程Ｓ２３で第４基礎部１４に設置された支持体４、複数の型枠２および仮設テント６を用いて、最後の住宅Ｈ４用の複数の建築パネル３が製造され、建築敷地９の適宜箇所で仮置きされる。
【００８６】
最後の組立工程Ｓ２４３では、支持体４、複数の型枠２および仮設テント６を第４基礎部１４から撤去したうえで、仮置きされた複数の建築パネル３を用いて、第４基礎部１４上に最後の住宅Ｈ４が形成される。
【００８７】
最後の建築工程Ｓ２４における最後の住宅Ｈ４の建築方法は、第１住宅Ｈ１、第２住宅Ｈ２および第３住宅Ｈ３の建築方法と同様であるため、詳しい説明は省略する。
【００８８】
実施形態１の建築構法によれば、鉄筋コンクリート構造の第１住宅Ｈ１、第２住宅Ｈ２、第３住宅Ｈ３および第４住宅Ｈ４が、建築敷地９内で効率的にかつ短期間で完成する。
【００８９】
（実施形態２）
図９には、実施形態２の建築構法の要部が示される。
【００９０】
以下において、実施形態１の建築構法と同様の構成については説明を省略し、実施形態１と異なる構成について詳述する。
【００９１】
図９に示されるように、本実施形態の建築構法では、第２基礎部１２に埋められた住宅建築用の複数のアンカー５のうち、所定の箇所に位置する複数のアンカー５２に対して、ガイド部８が着脱自在に設置される。ガイド部８は、仮設テント６の第２方向Ｄ２のスライド移動をガイドするための機構である。複数のアンカー５２は、後の工程において第２住宅Ｈ２の建築に用いられる。
【００９２】
ガイド部８は、一対のガイド８１で構成される。一対のガイド８１は、仮設テント６を第１方向Ｄ１の両外側から挟む位置にある。一対のガイド８１は、それぞれが第２基礎部１２の第２方向Ｄ２の略全長にわたって位置する。
【００９３】
ガイド部８は、第３基礎部１３や第４基礎部１４に対しても、ガイド部８が第２基礎部１２に設置される構造と同様の構造（複数のアンカー５２を用いた設置構造）で、着脱自在に設置される。
【００９４】
本実施形態の建築構法では、第１建築工程Ｓ２１のパネル製造工程Ｓ２１２において、第２基礎部１２にガイド部８が着脱自在に設置され、仮設テント６の第２基礎部１２上でのスライド移動が、ガイド部８によって安定的にガイドされる。
【００９５】
同様に、第２建築工程Ｓ２２のパネル製造工程Ｓ２２２においても、第３基礎部１３にガイド部８が着脱自在に設置され、仮設テント６の第３基礎部１３上でのスライド移動が、ガイド部８によって安定的にガイドされる。ガイド部８は、第２基礎部１２に設置されたものが第３基礎部１３にまで移送されて、繰り返し使用される。
【００９６】
同様に、第３建築工程Ｓ２３のパネル製造工程Ｓ２３２と、最後の建築工程Ｓ４のパネル製造工程Ｓ２４２においても、第４基礎部１４にガイド部８が着脱自在に設置される。仮設テント６の第４基礎部１４上でのスライド移動は、ガイド部８によって安定的にガイドされる。ガイド部８は、第３基礎部１３に設置されたものが第４基礎部１４にまで移送されて、繰り返し使用される。
【００９７】
（変形例）
以下、実施形態１，２の建築構法の各種の変形例について述べる。
【００９８】
実施形態１，２の建築構法では、Ｎが１から３にまで順に増加しながら第Ｎ建築工程Ｓ２Ｎが繰り返し行われる（つまり第１建築工程Ｓ２１、第２建築工程Ｓ２２、第３建築工程Ｓ２３が行われる）が、Ｎ＝１，２であることや、Ｎ＝１，３であることや、Ｎ＝２，３であることも有り得る。
【００９９】
Ｎ＝１，２である場合には、第１建築工程Ｓ２１と第２建築工程Ｓ２２が行われることで、第１基礎部１１と第２基礎部１２に住宅Ｈが建築される。第３基礎部１３と第４基礎部１４には、第Ｎ建築工程とは別の適宜の建築工程で住宅Ｈが建築される。
【０１００】
Ｎ＝１，３である場合には、第１建築工程Ｓ２１と第３建築工程Ｓ２３が行われることで、第１基礎部１１と第３基礎部１３に住宅Ｈが建築される。第２基礎部１２と第４基礎部１４には、第Ｎ建築工程とは別の適宜の建築工程で住宅Ｈが建築される。
【０１０１】
Ｎ＝２，３である場合には、第２建築工程Ｓ２２と第３建築工程Ｓ２３が行われることで、第２基礎部１２と第３基礎部１３に住宅Ｈが建築される。第１基礎部１１と第４基礎部１４には、第Ｎ建築工程とは別の適宜の建築工程で住宅Ｈが建築される。
【０１０２】
また、Ｎ＝１だけであることや、Ｎ＝２だけであることや、Ｎ＝３だけであることも有り得る。
【０１０３】
Ｎ＝１だけである場合には、第１建築工程Ｓ２１が行われることで第１基礎部１１に住宅Ｈが建築される。第２基礎部１２、第３基礎部１３および第４基礎部１４には、第Ｎ建築工程とは別の適宜の建築工程で住宅Ｈが建築される。
【０１０４】
Ｎ＝２だけである場合には、第２建築工程Ｓ２２が行われることで第２基礎部１２に住宅Ｈが建築される。第１基礎部１１、第３基礎部１３および第４基礎部１４には、第Ｎ建築工程とは別の適宜の建築工程で住宅Ｈが建築される。
【０１０５】
Ｎ＝３だけである場合には、第３建築工程Ｓ２３が行われることで第３基礎部１３に住宅Ｈが建築される。第１基礎部１１、第２基礎部１２および第４基礎部１４には、第Ｎ建築工程とは別の適宜の建築工程で住宅Ｈが建築される。
【０１０６】
また、実施形態１，２の建築構法では、建築敷地９に４つの基礎部１が形成されるが、建築敷地９に形成される基礎部１の数は、２以上の数であれば適宜選択され得る。つまり、建築敷地９に２つまたは３つの基礎部１が形成されることも有り得るし、建築敷地９に５つ以上の基礎部１が形成されることも有り得る。
【０１０７】
いずれの場合も、建築敷地９に形成される基礎部１の数よりも小さな任意の自然数をＮとしたとき、建築工程Ｓ２が第Ｎ建築工程を備えることや、Ｎとして異なる自然数が選択されながら（例えばＮが１から順に増加しながら）第Ｎ建築工程が繰り返し行われることで、建築敷地９内の各基礎部１に効率的にかつ短期間で住宅Ｈが建築される。
【０１０８】
また、実施形態１，２の建築構法では、各基礎部１が一つの基礎１００で構成されるが、各基礎部１が、互いに隣接する複数の基礎１００で構成されることや、間に他の基礎１００を挟んで位置する複数の基礎１００で構成されることも有り得る。
【０１０９】
また、実施形態１，２の建築構法では、建築敷地９内で製造された各建築パネル３が、各型枠２から脱型された後に速やかに組み立てられるが、脱型された建築パネル３が建築敷地９内でいったん仮置きされることも有り得る。
【０１１０】
また、実施形態１，２の建築構法では、各住宅Ｈが第２方向Ｄ２に沿って１０棟連続する連棟式の住宅であるが、連動式の住宅ではないことも有り得る。
【０１１１】
また、各住宅Ｈが９棟以下の連棟式の住宅であることや、１１棟以上連続する連棟式の住宅であることも有り得る。
【０１１２】
特に、各住宅Ｈが１１棟以上連続する連棟式の住宅である場合、型枠２が第２方向Ｄ２にスライド自在であることが、さらに有効である。つまり、第２方向Ｄ２に長い各住宅Ｈのうち、どの部分が建築されるのか応じて、複数の型枠２の第２方向Ｄ２の位置が変更されることで、住宅Ｈの建築がさらに効率的に行われる。
【０１１３】
以上、添付図面に基づいて詳述したように、実施形態１，２の建築構法は、下記の構成を具備する。
【０１１４】
つまり、実施形態１，２の建築構法は、屋外の建築敷地（９）に複数の基礎部（１）が形成される基礎形成工程（Ｓ１）と、複数の基礎部（１）のそれぞれに鉄筋コンクリート構造の住宅（Ｈ）が建築される建築工程（Ｓ２）とを備える。
【０１１５】
基礎部（１）の数よりも小さな任意の自然数をＮとしたとき、建築工程（Ｓ２）は、第Ｎ基礎部に、住宅（Ｈ）が建築される第Ｎ建築工程（Ｓ２Ｎ）を備える。第Ｎ基礎部は、複数の基礎部（１）に含まれる。
【０１１６】
第Ｎ建築工程（Ｓ２Ｎ）は、枠設置工程（Ｓ２Ｎ１）と、パネル製造工程（Ｓ２Ｎ２）と、組立工程（Ｓ２Ｎ３）とを備える。
【０１１７】
枠設置工程（Ｓ２Ｎ１）は、第Ｎ＋１基礎部に複数の型枠（２）が設置される工程である。第Ｎ＋１基礎部は、複数の基礎部（１）に含まれる。
【０１１８】
パネル製造工程（Ｓ２Ｎ２）は、複数の型枠（２）を用いて、鉄筋コンクリート構造の複数の建築パネル（３）が製造される工程である。
【０１１９】
組立工程（Ｓ２Ｎ３）は、複数の建築パネル（３）が第Ｎ基礎部で組み立てられ、住宅（Ｈ）が建築される工程である。
【０１２０】
したがって、実施形態１，２の建築構法によれば、建築敷地（９）に形成される複数の基礎部（１）のいずれかを利用して、複数の建築パネル（３）が屋外で製造され、製造された建築パネル（３）は、速やかに組み立てられる。そのため、実施形態１，２の建築構法によれば、鉄筋コンクリート構造の建築パネル（３）で構成された住宅（Ｈ）が、効率的にかつ短期間で完成する。
【０１２１】
さらに、実施形態１，２の建築構法において、枠設置工程（Ｓ２Ｎ１）では、第Ｎ＋１基礎部に支持体（４）が着脱自在に設置され、支持体（４）を介して、複数の型枠（２）の水平出しが為される。
【０１２２】
そのため、実施形態１，２の建築構法では、支持体（４）を介して水平に保たれた複数の型枠（２）内で、複数の建築パネル（３）が高品質で製造される。
【０１２３】
さらに、実施形態１，２の建築構法の枠設置工程（Ｓ２Ｎ１）では、第Ｎ＋１基礎部に埋設された住宅建築用の複数のアンカー（５１）を介して、支持体（４）が第Ｎ＋１基礎部に着脱自在に設置される。
【０１２４】
そのため、実施形態１，２の建築構法では、複数のアンカー（５１）を用いて支持体（４）がより確実に設置されるとともに、これら複数のアンカー（５１）は住宅（Ｈ）が建築される際に活用される。
【０１２５】
さらに、実施形態１，２の建築構法において、支持体（４）は、複数の型枠（２）をスライド自在に支持するレール構造を有する。
【０１２６】
そのため、実施形態１，２の建築構法では、複数の型枠（２）が支持体（４）上で位置を変えることによって、住宅（Ｈ）がさらに効率的に建築され得る。
【０１２７】
さらに、実施形態１，２の建築構法のパネル製造工程（Ｓ２Ｎ２）では、第Ｎ＋１基礎部にスライド自在に設置された仮設テント（６）の下で、複数の型枠（２）を用いて複数の建築パネル（３）が製造される。
【０１２８】
そのため、実施形態１，２の建築構法では、仮設テント（６）によって直射日光や雨水の影響が除かれたうえで、建築敷地（９）で建築パネル（３）が製造される。仮設テント（６）はスライド自在であるから、コンクリート打設等の際には、邪魔にならないように移動可能である。
【０１２９】
さらに、実施形態２の建築構法のパネル製造工程（Ｓ２Ｎ２）では、仮設テント（６）のスライド移動をガイドするガイド部（８）が、第Ｎ＋１基礎部に埋設された住宅建築用の複数のアンカー（５２）を介して、第Ｎ＋１基礎部に着脱自在に設置される。
【０１３０】
そのため、実施形態２の建築構法では、仮設テント（６）をガイドするガイド部（８）が複数のアンカー（５２）を用いてより確実に設置されるとともに、これら複数のアンカー５２は住宅（Ｈ）が建築される際に活用される。
【０１３１】
さらに、実施形態１，２の建築構法のパネル製造工程（Ｓ２Ｎ２）では、建築敷地（９）に設置されるクレーン車（７）を用いて、第Ｎ＋１基礎部上の複数の型枠（２）に対して、コンクリートが打設される。
【０１３２】
そのため、実施形態１，２の建築構法では、コンクリートの打設にクレーン車（７）が活用されることにより、複数の建築パネル（３）が効率的に製造され得る。
【０１３３】
さらに、実施形態１，２の建築構法の組立工程（Ｓ２Ｎ３）では、建築敷地（９）に設置されるクレーン車（７）を用いて、第Ｎ＋１基礎部の複数の型枠（２）で製造された複数の建築パネル（３）が、第Ｎ基礎部にまで吊り上げ移動される。
【０１３４】
そのため、実施形態１，２の建築構法では、クレーン車（７）を用いて複数の建築パネル（３）が効率的に吊り上げ移動され、住宅（Ｈ）が効率的に建築され得る。
【０１３５】
さらに、実施形態１，２の建築構法の組立工程（Ｓ２Ｎ３）では、複数の建築パネル（３）が、所定の初期強度を発現した時点で第Ｎ基礎部に組み立てられ、屋外の第Ｎ基礎部で、所定の初期強度よりも高い所定の目的強度を発現するまで養生される。
【０１３６】
そのため、実施形態１，２の建築構法では、住宅（Ｈ）の建築が、さらに効率的にかつ短期間で完了し得る。
【０１３７】
さらに、実施形態１，２の建築構法の建築工程（Ｓ２）では、第Ｎ建築工程（Ｓ２Ｎ）が、Ｎとして互いに異なる自然数が選択されながら、繰り返し行われる。具体的には、Ｎが１から順に増加しながら（１から始まって１ずつ増加しながら）、基礎部（１）の数より１だけ小さな数に至るまで、繰り返し行われる。
【０１３８】
そのため、実施形態１，２の建築構法では、建築敷地（９）内に位置する複数の基礎部（１）に、それぞれ住宅（Ｈ）が効率的に建築され得る。
【０１３９】
さらに、実施形態１，２の建築構法では、繰り返し行われる第Ｎ建築工程（Ｓ２Ｎ）において、複数の型枠（２）は、複数の基礎部（１）の間で移送されて、繰り返し用いられる。
【０１４０】
そのため、実施形態１，２の建築構法では、シンプルな設備で、建築敷地（９）内に位置する複数の基礎部（１）に、それぞれ住宅（Ｈ）が効率的に建築され得る。
【０１４１】
さらに、実施形態１，２の建築構法では、繰り返し行われる第Ｎ建築工程（Ｓ２Ｎ）において、複数の型枠（２）は、第Ｎ＋１基礎部に設置された支持体（４）を介して水平出しが為される。支持体（４）は、複数の基礎部（１）の間で移送されて、繰り返し用いられる。
【０１４２】
そのため、実施形態１，２の建築構法では、シンプルな設備で、建築敷地（９）内に位置する複数の基礎部（１）に、それぞれ住宅（Ｈ）が効率的に建築され得る。
【０１４３】
以上、実施形態について説明したが、住宅の建築構法は前記した実施形態１，２に限定されず、適宜の設計変更を行うことが可能である。
【符号の説明】
【０１４４】
１  基礎部
２  型枠
３  建築パネル
４  支持体
５１  アンカー
５２  アンカー
６  仮設テント
７  クレーン車
８  ガイド部
９  建築敷地
Ｈ  住宅
Ｓ１  基礎形成工程
Ｓ１１  第１基礎形成工程
Ｓ１２  第２基礎形成工程
Ｓ１３  第３基礎形成工程
Ｓ２  建築工程
Ｓ２１  第１建築工程
Ｓ２１１  枠設置工程
Ｓ２１２  パネル製造工程
Ｓ２１３  組立工程
Ｓ２２  第２建築工程
Ｓ２２１  枠設置工程
Ｓ２２２  パネル製造工程
Ｓ２２３  組立工程
Ｓ２３  第３建築工程
Ｓ２３１  枠設置工程
Ｓ２３２  パネル製造工程
Ｓ２３３  組立工程
【図１】
2016191196.tif 000003
【図２】
2016191196.tif 000004
【図３】
2016191196.tif 000005
【図４】
2016191196.tif 000006
【図５】
2016191196.tif 000007
【図６】
2016191196.tif 000008
【図７】
2016191196.tif 000009
【図８】
2016191196.tif 000010
【図９】
2016191196.tif 000011